(57)【要約】【課題】本発明は、電気機器に備えられる凸状導電部位と接続用端子とを容易且つ確実に電気的に接続することができるアダプタを提供することを課題とする。【解決手段】本発明に係るアダプタ１は、電気機器５０に備えられる凸状導電部位６０と前記電気機器５０に繋げられる装置の接続用端子７０とを電気的に接続する際に使用可能なアダプタ１であって、前記凸状導電部位６０及び接続用端子７０がそれぞれ接続される通電部１１を備えるとともに、凸状導電部位６０を包囲する態様で該凸状導電部位６０に装着される接続部１０と、該接続部１０が相対変位可能に設けられる本体部２０と、該本体部２０を電気機器５０に固定する固定手段４０とを備えることを特徴とする。【選択図】図１
2009176507.tif 000002
【特許請求の範囲】
【請求項１】
電気機器に備えられる凸状導電部位と前記電気機器に繋げられる装置の接続用端子とを電気的に接続する際に使用可能なアダプタであって、
前記凸状導電部位及び接続用端子がそれぞれ接続される通電部を備えるとともに、凸状導電部位を包囲する態様で該凸状導電部位に装着される接続部と、
該接続部が相対変位可能に設けられる本体部と、
該本体部を電気機器に固定する固定手段とを備えることを特徴とするアダプタ。
【請求項２】
前記接続部は、一端側に凸状導電部位が接続されるとともに他端側に接続用端子が接続され、
接続部の少なくとも一端側は、凸状導電部位に外嵌可能となるよう筒状に形成されることを特徴とする請求項１に記載のアダプタ。
【請求項３】
前記接続部を複数備え、
前記本体部は、前記各接続部をそれぞれ保持する複数の保持片を備えるとともに、各保持片同士が相対変位可能に構成されることを特徴とする請求項１又は２に記載のアダプタ。
【請求項４】
前記各保持片は、各接続部を相対変位可能に保持することを特徴とする請求項３に記載のアダプタ。
【発明の詳細な説明】
【技術分野】
【０００１】
本発明は、電気機器に備えられる凸状導電部位と前記電気機器に繋げられる装置の接続用端子とを電気的に接続する際に使用可能なアダプタに関する。
【背景技術】
【０００２】
従来、電気機器に対する測定等の目的で、電気機器の導電部位（例えば、端子）に対し測定装置等の装置に繋がった接続用端子を一時的に接続することがある。例えば、電力量計といった計器の計量誤差を測定すべく電圧を測定する際に、計器の導電部位に計量誤差測定装置からの接続用端子を接続する場合や、配電用遮断器の消費電力を測定する際に、配電用遮断器の機器側端子に消費電力測定装置からの接続用端子を接続する場合等である。
【０００３】
しかしながら、電気機器の導電部位の形状若しくは配置が必ずしも電気機器に繋がれる装置側の接続用端子の形状等と対応したものでなく、電気機器の導電部位と接続用端子とを安定に接続することができない場合がある。例えば、電気機器の導電部位が奥まった位置に配置されているのに対して、測定装置側の接続用端子がワニ口クリップであり、電気機器の導電部位を挟み込むことができない状況や、電気機器の導電部位がネジの頭部で構成されているのに対して、測定装置側の接続用端子が探針であり、そのままでは電気機器の導電部位と測定装置側の接続用端子との接触状態を維持できない状況等である。
【０００４】
このため、電気機器の導電部位に対して接続用端子を電気的に接続するための接続補助器具であるアダプタが提案されている（例えば、特許文献１）。かかるアダプタは、接触端子としての電圧検出プラグが差し込まれるとともに電気機器の導電部位に接触する接続部として機能する電圧端子検出具を備え、該電圧端子検出具を保持する本体部として機能するアダプタ板を電気機器に固定することにより、電圧端子検出具が電気機器の導電部位に接触した状態を維持可能に構成されるものである。
【０００５】
【特許文献１】特開平５−１８９９２号公報
【発明の開示】
【発明が解決しようとする課題】
【０００６】
しかしながら、上記アダプタは、電圧端子検出具のうち前記導電部位に接触させる部分が探針によって構成されるものであり、電圧端子検出具を保持するアダプタ板を電気機器に確実に固定できたとしても、電圧端子検出具と導電部位とを確実に接触させることができない状況が発生するおそれがある。
【０００７】
そこで、本発明は、電気機器に備えられる導電部位が特に凸状を有するものである場合に着目し、凸状導電部位と接続用端子とを容易且つ確実に電気的に接続することができるアダプタを提供することを目的とする。
【課題を解決するための手段】
【０００８】
本発明に係るアダプタは、電気機器に備えられる凸状導電部位と前記電気機器に繋げられる装置の接続用端子とを電気的に接続する際に使用可能なアダプタであって、前記凸状導電部位及び接続用端子がそれぞれ接続される通電部を備えるとともに、凸状導電部位を包囲する態様で該凸状導電部位に装着される接続部と、該接続部が相対変位可能に設けられる本体部と、該本体部を電気機器に固定する固定手段とを備えることを特徴とする。
【０００９】
上記構成からなるアダプタによれば、本体部を固定手段によって電気機器に取り付けるだけでなく、接続部自体を凸状導電部位に装着するものであるため、凸状導電部位と接続用端子とを確実に電気的に接続することができる。しかも、接続部が本体部に対して相対変位可能であるため、本体部と電気機器との配置関係とは別に、接続部と凸状導電部位との装着状態を良好に調整することができる。
【００１０】
また、前記接続部は、一端側に凸状導電部位が接続されるとともに他端側に接続用端子が接続され、接続部の少なくとも一端側は、凸状導電部位に外嵌可能となるよう筒状に形成される構成が好ましい。
【００１１】
このようにすれば、例えば凸状導電部位の周囲にある他の部材との間隔が狭い場合などであっても、接続部を凸状導電部位に良好に装着することができる。
【００１２】
また、上記アダプタは、前記接続部を複数備え、前記本体部は、前記各接続部をそれぞれ保持する複数の保持片を備えるとともに、各保持片同士が相対変位可能に構成される構成が好ましい。
【００１３】
このようにすれば、電気機器に複数並んで備えられる凸状導電部位に対して複数の接続用端子を電気的に接続する際にも好適に用いることができる。即ち、各保持片同士が相対的な位置を変更可能であるため、各接続部ごとに各凸状導電部位との装着状態を良好に調整することができる。
【００１４】
また、前記各保持片は、各接続部を相対変位可能に保持する構成が好ましい。
【００１５】
このようにすれば、各接続部が各保持片に対して相対変位可能であるため、各接続部と各凸状導電部位との装着状態をより一層良好に調整することができる。
【発明の効果】
【００１６】
以上のように、本発明に係るアダプタによれば、電気機器に備えられる凸状導電部位と接続用端子とを容易且つ確実に電気的に接続することができる。
【発明を実施するための最良の形態】
【００１７】
以下に、本発明に係るアダプタの実施形態について、図面に基づいて説明する。
【００１８】
本発明の実施形態に係るアダプタ１は、図１に示すように、電気機器５０に備えられる凸状導電部位６０と前記電気機器５０に繋げられる装置（図示しない）の接続用端子７０とを電気的に接続する際に使用可能なものである。以下では、本実施形態に係るアダプタ１を説明するのに先立って、電気機器５０について、図１に基づいて説明する。
【００１９】
アダプタ１が対象とする電気機器は、電気的に接続される凸状導電部位６０を備えるものであればいずれのものであっても該当し、例えば、電力量計といった計器や、配電用遮断器といったものが該当し得るが、以下では、説明の便宜上、電力量計５１を例に説明する。また、電力量計においても、単独計器や変成器付計器と呼ばれるものや、無効電力量計、発信装置付計器といった種々のものがあるが、ここでは、単相３線式若しくは三相３線式と呼ばれる３線式の電力量計５１を例に説明することとする。ただし、電力量計には、これ以外にも、単相２線式や、三相４線式のものもある。
【００２０】
３線式の電力量計５１は、端子（図示しない）を電源側の３つと負荷側の３つの計６つ備える。また、図２にもよく示されるように、電力量計５１は、該電力量計５１に接続される電線Ｌを前記端子に固定するための端子ねじ６１を備える。該端子ねじ６１は、電力量計５１の端子一つに対して上下に二つずつ備えられる。また、端子ねじ６１は、電線Ｌ若しくは端子に直接接触する金属性部材であり、これら電線Ｌ若しくは端子と同電位となる。従って、電力量計５１の場合には、この端子ねじ６１の頭部６２が前記電気的に接続される凸状導電部位６０として機能する。また、これら上下に並んで配置された一対の端子ねじ６１，６１は、電力量計５１の横方向に並んで配置され、横方向に並んだ端子ねじ６１，６１…が上下に二組設けられる態様となる。
【００２１】
ところで、電力量計５１は、電源側の端子ねじ６１と負荷側の端子ねじ６１とがそれぞれ異なる間隔で配置される一方、電源側の端子ねじ６１同士及び負荷側の端子ねじ６１同士が等間隔で配置される。ただし、電力量計には、全ての端子ねじが横方向に等間隔で配置されるものもあれば、電源側の端子ねじ同士又は負荷側の端子ねじ同士が異なる間隔で配置されるものもある。
【００２２】
かかる凸状導電部位６０（即ち、端子ねじ６１の頭部６２）は、図２（Ａ）及び図（Ｂ）に示すように、一定の径且つ所定の高さを有する円柱形状を有する。またその頭部６２には、「すりわり」と呼ばれる所定の幅及び深さを有する溝が形成されている。なお、端子ねじは規格化されており、例えば「３０Ａ」の端子ねじは、頭部６２の径６ｍｍ、頭部６２の高さ２．５ｍｍ、すりわりの幅１ｍｍ、すりわりの深さ１．４ｍｍ以上と規定され、「１２０Ａ」の端子ねじは、頭部の径８ｍｍ、頭部の高さ２．５ｍｍ、すりわりの幅１．２ｍｍ、すりわりの深さ１．６ｍｍと規定されている。
【００２３】
ところで、電力量計５１は、計測機械等が収容される装置本体５２と端子が設けられる端子部５３とを備えて構成される。前記端子部５３には、端子ねじ６１を受け入れる収容部５４が設けられており、該収容部は、深さが約１０ｍｍで且つ幅が約１０ｍｍに形成される。端子ねじ６１は、その頭部６２がこの収容部５４に収容され、該収容部５４の底５６に頭部を当接させるか若しくは近接させた態様で取り付けられる。従って、取付状態においては、端子ねじ６１と収容部５４の壁部との間隔は、最も小さいところで約１〜数ｍｍ程度となる。また、同一の端子に対して用いられる二つの端子ねじ６１，６１同士の間隔は小さいところで約１〜数ｍｍとなる。
【００２４】
このように、凸状導電部位６０は、周囲の部材（即ち、他の端子ねじ６１や、収容部５４の壁５５）に囲まれた状態で配置され、凸状導電部位６０と周囲の部材との間隔は、小さいところでは該凸状導電部位６０の大きさにも満たない小さいものとなる。また、凸状導電部位６０は、前記収容部の底５６を基端部として突出した態様で設けられる。そして、前記凸状導電部位６０の基端部からの突出量は、周囲の部材と同等若しくはそれ以下に設定される。即ち、凸状導電部位６０は、周囲の部材よりも奥まった位置に配置される態様となる。
【００２５】
次に、図３に基づいて、アダプタ１の構成について説明する。アダプタ１は、前記凸状導電部位６０及び接続用端子７０とそれぞれ接触する通電部１１を備えるとともに、凸状導電部位６０を包囲する態様で該凸状導電部位６０に装着される接続部１０と、該接続部１０が相対変位可能に設けられる本体部２０と、該本体部２０を電気機器に固定する固定手段４０とを備える。また、アダプタ１は、前記電気機器５０（即ち、電力量計５１）の横幅に対応した細長い形状を有する。
【００２６】
接続部１０は、一端側に凸状導電部位６０が接続されるとともに他端側に接続用端子７０が接続される。接続部１０の少なくとも一端側は、凸状導電部位６０に外嵌可能となるよう筒状に形成される。
【００２７】
具体的には、前記接続部１０は、一端側から他端側にかけて筒状に形成される。かかる筒状の接続部１０は、内周側に通電部１１を有し、該通電部１１は、一端側から他端側にかけて設けられる。前記筒状の接続部１０は、外周側が絶縁性を有し、具体的には、外周部位１２は、ゴム等の絶縁性素材によって形成される。また、筒状の接続部１０の内径は、前記凸状導電部位６０の外径と同等以上に設定される。なお、通電部１１は、例えば銅などの導電性の金属によって形成される。
【００２８】
具体的には、前記アダプタ１は、前記接続部１０を複数備え、前記本体部２０は、前記各接続部１０をそれぞれ保持する複数の保持片２１，２１…を備えるとともに、各保持片２１，２１…同士が相対変位可能に構成される。保持片２１は、前記長手方向及び幅方向中央部において前記接続部１０を保持する。また、接続部１０は、筒の高さ方向中央部を保持片２１に保持される。
【００２９】
なお、保持片２１は、透明な素材によって構成される。これにより、保持片２１の一方の面側から他方の面側を透視することができ、接続部１０を凸状導電部位６０に装着する作業を容易に行うことができる。
【００３０】
前記複数の保持片２１，２１…は、複数同一方向に並べて設けられる。前記電力量計５１が電源側及び負荷側に端子をそれぞれ３つ備えるものであることに対応して、アダプタ１は、電源側又は負荷側の端子ねじ６１に対して３つ同時に接続可能とすべく、接続部１０を３つ備え、従って、保持片２１も３つ備えられる。また、これら３つの接続部１０は、電源側又は負荷側のどちらか一方側の３つの端子ねじ６１に対して同時に接続するよう構成される。また、上述のように、前記電力量計５１が横方向に直線状に並んだ端子ねじ６１，６１…を有するものであることに対応して、各保持片２１（ひいては、各接続部１０）は、一直線上に並んで設けられる。
【００３１】
また、各保持片２１は、柔軟な連結部位２２によって相互に連結される。各保持片２１は、これら保持片２１が並ぶ直線方向（即ち、アダプタ１の長手方向）に相対変位可能であるとともに、前記直線方向に直交する方向（即ち、アダプタ１の幅方向）にも相対変位可能である。さらに、各保持片２１は、長手方向及び幅方向に直交する方向（即ち、アダプタ１の前後方向）にも相対変位可能である。即ち、各保持片２１（ひいては、各接続部１０）は、互いに前後左右上下に相対変位することが可能となる。これによって、アダプタ１が例えば長手方向に伸縮可能となる。なお、前記柔軟な連結部位２２は、いわゆる蛇腹によって構成される。
【００３２】
また、前記各保持片２１，２１…は、各接続部１０，１０…を相対変位可能に保持する。これにより、前記接続部１０は、前記各保持片２１に対して相対変位可能となり、また、本体部２０に対しても相対変位可能となり、さらに、各接続部１０，１０…同士が相対変位可能となる。
【００３３】
前記保持片２１は、前記接続部１０を挿通させた状態で保持するための保持孔部２３を有する。前記保持孔部２３は、接続部１０が挿通される保持孔２４と、該保持孔２４の外周を囲む周縁部２５とを備え、該周縁部２５は、保持孔２４に挿通された接続部１０が相対変位可能となるよう、柔軟に構成される。具体的には、周縁部２５は、平坦なシート状を有する保持片２１に対して曲がった曲げ部として設けられ、該周縁部２５は、接続部１０の向きに追従して変形可能に構成される。周縁部２５は、湾曲形状等どのような形状のものであってもよく、前記連結部位２２と同様に蛇腹状であってもよい。なお、接続部１０は、周縁部２５に対して接着剤等を用いて固定される。
【００３４】
前記本体部２０は、アダプタ１の長手方向両端部に、アダプタ１の前後方向に沿って前方に延びる突出部２６を備える。該突出部２６は、本体部２０の長手方向両端部に設けられる両端部片２７，２８に備えられ、各端部片２７，２８は、柔軟な連結部位２９によって前記保持片２１と連結される。この端部片２７，２８は、前記保持片２１に沿う正面側部位２７ａ，２８ａと、前記保持片２１に対して直交する側面側部位２７ｂ，２８ｂとを備え、該側面側部位２７ｂ，２８ｂが前記突出部２６に相当する。
【００３５】
また、上述のように、アダプタ１に備えられる３つの接続部１０は、取付状態において電源側又は負荷側のどちらか一方側の３つの端子ねじ６１を覆い得るよう、端部片２８の正面側部位２８ａが端部片２７の正面側部位２７ａよりも長く形成される。
【００３６】
前記固定手段４０は、前記両端部片２７，２８の側面側部位２７ｂ，２８ｂ（即ち、突出部２６）に備えられる磁石４１，４１によって構成される。即ち、端部片２７，２８に備えられる磁石４１，４１が電力量計の筐体に磁着することによって、前記本体部２０が電力量計５１に固定される。これにより、アダプタ１を安定して固定することができるとともに、着脱を容易に行うことができる。
【００３７】
上記構成からなるアダプタ１を用いて電気機器５０とそれに繋げられるべき装置とを繋げる場合には、まず、アダプタ１の接続部１０と電気機器５０側の凸状導電部位６０との位置関係を把握した上で、前記凸状導電部位６０に接続部１０を挿し込むようにして装着し、それと前後して、固定手段４０によってアダプタ１を電気機器５０に固定する。その後、接続用端子７０を接続部１０と接続する。なお、アダプタ１の向きを左右逆にすれば、電力量計５１の電源側に対しても負荷側に対しても測定を行うことができる。
【００３８】
以上のように、本実施形態に係るアダプタ１によれば、電気機器５０に備えられる凸状導電部位６０と接続用端子７０とを容易且つ確実に電気的に接続することができる。
【００３９】
即ち、上記構成からなるアダプタ１によれば、本体部２０を固定手段４０によって電気機器５０に取り付けるだけでなく、接続部１０自体を凸状導電部位６０に装着するものであるため、凸状導電部位６０と接続用端子７０とを確実に電気的に接続することができる。しかも、接続部１０が本体部２０に対して相対変位可能であるため、本体部２０と電気機器５０との配置関係とは別に、接続部１０と凸状導電部位６０との装着状態を良好に調整することができる。
【００４０】
また、前記接続部１０は、一端側に凸状導電部位６０が接続されるとともに他端側に接続用端子が接続され、接続部１０の少なくとも一端側は、凸状導電部位６０に外嵌可能となるよう筒状に形成される。
【００４１】
従って、例えば凸状導電部位６０の周囲にある他の部材との間隔が狭い場合などであっても、接続部１０を凸状導電部位６０に良好に装着することができる。具体的には、前記凸状導電部位６０として機能する端子ねじ６１の頭部６２は、電力量計５１の端子部５３に設けられる収容部５４に収容されるものであり、端子ねじ６１の頭部６２の周辺には小さな空間しか残されないのであるが、上記アダプタ１は、筒状に形成される一端側を外嵌するものであるため、接続部１０を凸状導電部位６０に良好に装着することができる。
【００４２】
より具体的には、前記接続部１０は、全長に亘って筒状に形成される筒状体であるため、他端側においても一端側と同様に開口している。従って、例えば測定装置等の接続用端子７０がワニ口クリップであった場合にも、他端側から接続部１０の壁部を挟み込ませることで、接続を容易に行うことができる。
【００４３】
また、アダプタ１は、前記接続部１０を複数備え、前記本体部２０は、前記各接続部１０をそれぞれ保持する複数の保持片２１を備えるとともに、各保持片２１，２１…同士が相対変位可能に構成される。
【００４４】
従って、電気機器５０に複数並んで備えられる凸状導電部位６０に対して複数の接続用端子７０を電気的に接続する際にも好適に用いることができる。即ち、各保持片２１，２１…同士が相対的な位置を変更可能であるため、各接続部１０ごとに各凸状導電部位６０との装着状態を良好に調整することができる。具体的には、上述のように、電力量計５１には複数の端子ねじ６１，６１…が横方向に異なる間隔で設けられる場合であっても、上記アダプタ１であれば、連結部位２２が変形することによって、他の接続部の位置に関係なく、各接続部１０を各端子ねじ６１に良好に装着することができる。しかも、接続部１０がアダプタ１の前後方向（即ち、凸状導電部位６０に対向する方向）に相対変位可能であるため、各凸状導電部位６０の突出量が異なっていたとしても、同様にに良好に装着することができる。また、アダプタ１が伸縮可能であるため、種々の大きさの電気機器に対応させることができる。
【００４５】
また、前記各保持片２１は、各接続部１０を相対変位可能に保持する。従って、各接続部１０が各保持片２１に対して相対変位可能であるため、各接続部１０と各凸状導電部位６０との装着状態をより一層良好に調整することができる。
【００４６】
さらに、前記接続部１０は、外周部位１２が絶縁性の素材で形成されることに加え、装着状態においては凸状導電部位６０を包囲する態様となるため、通電状態で露出する部分を少なくすることができ、通電部分に何らかのものが接触して短絡してしまうこと等の不測の事態を有効に防止することができる。
【００４７】
なお、本発明に係るアダプタは、上記実施形態に限定されるものではなく、本発明の要旨を逸脱しない範囲で種々の変更が可能である。
【００４８】
例えば、図４（Ａ）に示すように、接続部１１０の通電部１１１から径方向内方に向かって導電突起１１３が形成され、該導電突起１１３が凸状導電部位に付勢状態で接触するものであってもよい。このようにすれば、接続部１１０を凸状導電部位から抜けにくいものとすることができ、また、通電状態を良好にすることができる。かかる導電突起１１３は、接続部１１０のうち凸状導電部位に装着される一端側に少なくとも形成される。また、前記導電突起１１３は、全周に亘って複数設けられ、弾性変形可能に構成される。
【００４９】
また、接続部は、凸状導電部位に装着される際に、該凸状導電部位に対して磁着するように構成されるものであってもよい。かかる接続部としては、前記接続部の金属部分（例えば、通電部）が磁性を帯びた素材によって形成される構成が好ましい。
【００５０】
上記実施形態においては、凸状導電部位６０を備える電気機器５０が電力量計といった計器である場合について説明したが、これに限定されるものではなく、配電用遮断器などであってもよい。配電用遮断器の場合には、凸状導電部位６０は、配電用遮断器に繋がれる配線を固定するための固定ねじが該当し、かかる固定ねじは、頭部が丸型のものやなべ型のものが一般的である。これらの固定ねじであっても、凸状に突出した状態の場合には、本発明に係るアダプタを用いることができる。
【００５１】
上記実施形態に係るアダプタ１は、接続部１０が全長に亘って筒状に形成されるものとして説明したが、これに限定されるものではなく、他端側には、探針として設けられる測定装置側の接続用端子を受け入れ可能な挿入孔が形成されるものであってもよい。
【００５２】
上記実施形態では、固定手段４０は、端部片２７，２８に備えられる磁石４１によって構成されるものとして説明したが、これに限定されるものではなく、例えば電気機器５０を両側から挟み込む（挟持する）ように構成されるものであってもよく、電気機器５０に貼付されるものであってもよい。
【００５３】
上記実施形態では、接続部１０は、保持片２１の周縁部２５に対して接着剤等を用いて固定されるものとして説明したが、これに限定されるものではなく、図４（Ｂ）に示すように、例えば接続部２１０の中間部分に周溝２１４を設け、保持片２１２側の部位（例えば、保持孔の外周を囲む周縁部２２５）がこの周溝２１４に嵌まり込むように構成されるものであってもよい。
【００５４】
また、図４（Ｂ）に示すように、前記接続部３１０は、筒の高さ方向他端側に通電部３１１が露出するのを防止すべく、外周部位３１２に用いられるゴム等の絶縁性素材が径方向内方に向かって延出して延出部３１２ａとなり、通電部３１１の高さ方向他端部を覆うものであってもよい。
【００５５】
上記実施形態では、各保持片２１同士を連結する連結部位２２や、保持片２１と端部片２７，２８とを連結する連結部位２９が、例えば蛇腹といった容易に変形可能な構造のものであるとして説明したが、これに限定されるものではなく、これらの易変形部位は、柔軟なゴム素材などで構成されるものであってもよい。
【図面の簡単な説明】
【００５６】
【図１】本発明の実施形態に係るアダプタを電力量計に取り付けた状態の斜視図を示す。
【図２】同実施形態に係るアダプタの使用対象となる電力量計を示す図であって、（Ａ）は、正面図を示し、（Ｂ）は、端子ねじを収容する収容部の近傍の拡大断面図を示す。
【図３】同実施形態に係るアダプタのを示す図であって、（Ａ）は、正面図を示し、（Ｂ）は、平面図を示す。
【図４】本発明に係るアダプタに用いられる接続部のそれぞれ異なる変形例を示す図であって、（Ａ）は、第一の変形例に係る正面図を示し、（Ｂ）は、第二の変形例に係る平面図を示し、（Ｃ）は、第三の変形例に係る断面図を示す。
【符号の説明】
【００５７】
１…アダプタ、１０…接続部、１１…通電部、１２…外周部位、２０…本体部、２１…保持片、２２…連結部位、２３…保持孔部、２４…保持孔、２５…周縁部、２６…突出部、２７…端部片、２７ａ…正面側部位、２７ｂ…側面側部位、２８…端部片、２８ａ…正面側部位、２８ｂ…側面側部位、２９…連結部位、４０…固定手段、４１…磁石、５０…電気機器、５１…電力量計、５２…装置本体、５３…端子部、５４…収容部、５５…壁、５６…底、６０…凸状導電部位、６１…端子ねじ、６２…頭部、７０…接続用端子、Ｌ…電線、１１０…接続部、１１１…通電部、１１３…導電突起、２１０…接続部、２１４…周溝、２２１…保持片、２２５…周縁部、３１０…接続部、３１１…通電部、３１２…外周部位、３１２ａ…延出部
【図１】
2009176507.tif 000003
【図２】
2009176507.tif 000004
【図３】
2009176507.tif 000005
【図４】
2009176507.tif 000006